(57)【要約】【課題】  動物の本能や、習性に基づく行動を、無理強いすることなく規制して、飼い主の求めるふるまいに調教することができる、動物調教支援用具を提供する。【解決手段】  首輪２と、首輪２に沿って移動自在に介装して、動物の鼻先から目元に至る箇所と、下顎付根近傍を取り囲むように差し入れて保持する一方、引き綱Ｌに連結してなる口輪３を備える。この口輪３は、動物に応じて口元を取り囲む寸法を調節する調節係着部材４を備える。  前記首輪２には、調節連結具５を設ける。  前記口輪３は、輪の中に前記首輪２を通して、移動自在な状態にある。  前記調節係着部材４は、輪状帯片７と、この輪状帯片７の内側面と帯状体表面に敷設した係着面材８とで構成する。【選択図】              図１
2006158242.tif 000002
【特許請求の範囲】
【請求項１】
動物の首周りに、その動物に応じて調節して着脱可能に装着する構成とした首輪と、この首輪に首輪に沿って移動自在に介装して、動物の鼻先から目元に至る箇所と、下顎付根近傍を取り囲むように差し入れて保持する一方、引き綱に連結してなる口輪とを備え、この口輪は、動物に応じて口元を取り囲む寸法を調節する調節係着部材を備えたことを特徴とする動物調教支援用具。
【請求項２】
前記口輪は帯状体で構成し、前記調節係着部材は、前記口輪を構成する帯状体を取り囲むように配置する輪状帯片と、この輪状帯片の内側面と帯状体表面に配した係着面材とで構成したことを特徴とする請求項１記載の動物調教支援用具。
【請求項３】
前記口輪は帯状体で構成し、前記調節係着部材は、前記口輪を構成する帯状体を取り囲むように配置する帯片と、この帯片の内側面と帯状体表面に配した係着面材とで構成したことを特徴とする請求項１記載の動物調教支援用具。
【発明の詳細な説明】
【技術分野】
【０００１】
本発明は、動物の本能や、習性に基づく行動を、無理強いすることなく規制して、飼い主の求めるふるまいに調教することができる、動物調教支援用具に関するものである。
【背景技術】
【０００２】
従来より、動物、特に犬を飼い主の意のままに導くための道具として、調教支援用具がある。
例えば、犬のコントロール手段として、首輪と引き綱がある。首輪は、金属製の鎖でできたものがあり、引き綱によってこの首輪を引っ張り力を加え、時には、強い力で犬の暴走を抑えたり、地面に踏ん張って動こうとしない犬を引きずったりするなど、無理強いして犬を引き連れてきたりしていた。
しかしながら、これでは、犬は嫌がるだけで、思うようなコントロールは不可能であることがわかっている。というのは、犬をはじめ、動物の敏感な口周りに、引き綱による力が及ばされず、飼い主の意向が犬に伝わっていないからである。
そこで、犬の口周りに口輪を装着して、この口輪に引き綱を連結して、引き綱を引っ張ることにより、口輪に引っ張り力が加えられることによって、犬にシグナルを送るということが提案されてきた。
【０００３】
例えば、
【特許文献１】特公平６−９１７８１号公報  この公報では、二本の輪（首輪と鼻輪）を具備することにより、犬などの動物を飼い慣らすために、行動を規制する動物制御器具が開示されている。  すなわち、この動物制御器具は、二本の輪で構成され、首のうしろと横及び鼻づらの先に対して、同時に締め付けられるようになっている。  これによって、コントロールと従順なふるまいをさせるために、直接の圧迫が、引き綱から直接鼻輪に、鼻づらの前に対して加えられると共に、同時に、首輪のループの位置は耳のすぐ後で、動物の首に直接の圧迫が加えられるとしている。
【発明の開示】
【発明が解決しようとする課題】
【０００４】
確かに、上記特許文献１によれば、首のうしろと横及び上下のあごに引き綱が締め付けられたときに、窒息させるような圧迫を、首の下の器官や咽頭のような敏感な部分に加えることなしに、同時に加えられる変化する直接の圧力コントロールを可能にしている。
しかしながら、上記調教支援用具では、鼻輪が、首輪に対し、金属リングを介して止め着けられているため、この金属リングが首輪に固定されているところから、鼻輪は、金属リング取り付け箇所を中心に進退移動するだけで、鼻輪は、決して、首輪に沿って移動するようには造られていない。
しかも、上記金属リングの分、どうしても部品点数が増加し、さらにコストダウンが難しいという課題がある。
本発明はこのような背景から提案されたものであって、部品点数を極力減らして、鼻輪にさらに自由な動きを与えて、取り扱い性、調教効果も申し分ない、動物調教支援用具を提供することを目的とする。
【課題を解決するための手段】
【０００５】
前記した課題を解決するために、本発明では、請求項１において、動物の首周りに、その動物に応じて調節して着脱可能に装着する構成とした首輪と、この首輪に首輪に沿って移動自在に介装して、動物の鼻先から目元に至る箇所と、下顎付根近傍を取り囲むように差し入れて保持する一方、引き綱に連結してなる口輪とを備え、この口輪は、動物に応じて口元を取り囲む寸法を調節する調節係着部材を備えた動物調教支援用具を提案する。
また本発明では、請求項２において、前記口輪は帯状体で構成し、前記調節係着部材は、前記口輪を構成する帯状体を取り囲むように配置する輪状帯片と、この輪状帯片の内側面と帯状体表面に配した係着面材とで構成した動物調教支援用具を提案する。
さらに本発明では、請求項３において、前記口輪は帯状体で構成し、前記調節係着部材は、前記口輪を構成する帯状体を取り囲むように配置する帯片と、この帯片の内側面と帯状体表面に配した係着面材とで構成した動物調教支援用具を提案する。
【発明の効果】
【０００６】
本発明によれば、動物の本能や、習性に基づく行動を、無理強いすることなく規制して、飼い主の求めるふるまいに調教することができ、しかも、部品点数を極力減らして、鼻輪にさらに自由な動きを与えて、取り扱い性、調教効果も申し分ない動物調教支援用具を提供することができる。
【０００７】
請求項１によれば、先ず動物の首周りに、首輪をその動物の首周りに合わせて長さを調節して装着する。次いで、口輪を動物の鼻先から差し入れて目元に至らしめ、下顎付根近傍を取り囲むようにもたらす。その際、口輪は、前記首輪に対して自在に移動できるように交叉しているので、動物の鼻先から差し入れる際に、動物がいやがって首を鼻先を横に動かしても、それに合わせて口輪を持っていくことができる。そして、前記口輪を調節係着部材によって、動物に応じて口元を取り囲む寸法を調節して保持するようにする。
【０００８】
請求項２によれば、口輪をその動物に合わせて、輪状帯片を固定すべき位置に移動して、前記輪状帯片を押しつぶすことで、輪状帯片の内側面と帯状体表面に配した係着面材とが係着して、口輪を構成する帯状体を圧着保持することができる。
【０００９】
請求項３によれば、口輪をその動物に合わせて、帯片を固定すべき位置において、口輪を構成する帯状体を取り囲むように二つ折りすることで、帯片の内側面と帯状体表面に配した係着面材とが係着して、口輪を構成する帯状体を圧着保持することができる。
【発明を実施するための最良の形態】
【００１０】
以下、本発明にかかる動物調教支援用具につき、一つの実施の態様を挙げ、添付の図面に基づいて説明する。
【実施例１】
【００１１】
図１、図２に動物調教支援用具１を示す。この動物調教支援用具１は、動物の首周りに、その動物に応じて調節して着脱可能に装着する構成の首輪２を備えている。また、この首輪２には、首輪２に沿って移動自在に介装して、動物の鼻先から目元に至る箇所と、下顎付根近傍を取り囲むように差し入れて保持する一方、引き綱Ｌに連結してなる口輪３を備えている。そして、この口輪３は、動物に応じて口元を取り囲む寸法を調節する調節係着部材４を備えている。
【００１２】
前記首輪２は、周知の素材、例えば合成繊維を用いて織りこんで形成した帯状体で構成している。また首輪２を構成する帯状体の両端側には、詳しくは説明しないが、装着すべき動物の首周りに、動物に応じて長さ寸法を調節し、且つループ状に着脱可能に連結する周知の構造の調節連結具５を設けている。
【００１３】
前記口輪３は、前記首輪２同様、合成繊維を用いて織りこんで形成した帯状体で構成している。前記口輪３は、輪の中に前記首輪２を通して、移動自在な状態にある。
なお、前記口輪３は、帯状体の両端側にリング部材６を縫着することでループ状に形成され、そして、前記リング部材６には、引き綱Ｌが連結されている。
【００１４】
そして前記調節係着部材４は、前記口輪３を構成する帯状体を取り囲むように配置する輪状帯片７と、この輪状帯片７の内側面と帯状体表面に敷設した係着面材８とで構成している（図２、図３参照）。
【００１５】
以上のような動物調教支援用具１において、先ず動物の首周りに、首輪２をその動物の首周りに合わせて長さを調節して装着する。このとき、飼い主は、首輪２を構成する帯状体両端の調節連結具５を、それぞれ両手でもって動物の首を取り囲むように回し、ちょうど帯状体が動物の頭骨と首との境目と、喉仏の上側の位置を通過する位置に合わせて、首輪２が、首上で廻らない程度の調節具合で前記調節連結具５により、連結して装着状態とするとよい。
【００１６】
次いで、口輪３を両手で拡げて動物の鼻先から差し入れて目元に至らしめ、下顎付根近傍を取り囲むようにもたらす。その際、口輪３は、前記首輪２に対して自在に移動できるように交叉しているので、動物の鼻先から差し入れる際に、動物がいやがって首を鼻先を横に動かしても、それに合わせて口輪３を持っていくことができる。そして、前記口輪３を調節係着部材４によって、動物に応じて口元を取り囲む寸法を調節して保持するようにする。
【００１７】
その際、その動物に合わせて、調節係着部材４を構成する輪状帯片７を固定すべき位置に移動して、前記輪状帯片７を押しつぶすことで（図３参照）、輪状帯片７の内側面と帯状体表面に配した係着面材８とが係着して、目元から下顎付根近傍を取り囲むように口輪３を保持することができる。
【００１８】
以上のようにして装着した動物調教支援用具１を用いて、引き綱Ｌを口輪３のリング部材６に連結して、引き連れれば、引き綱Ｌを介して口輪３を通じて、動物の敏感な口周りに、引き綱Ｌによる力が及ばされ、飼い主の意向が伝わり、無理強いすることなく、動物の暴走を抑えたり、意向に添うふるまいに、良好に導くことができる（図５参照）。
このように、この動物調教支援用具１を用いれば、動物の本能や、習性に基づく行動を、無理強いすることなく規制して、飼い主の求めるふるまいに調教することができ、しかも、部品点数を極力減らしてコストダウンが可能であり、取り扱い性、調教効果も申し分ない動物調教支援用具を提供することができる。
【００１９】
以上、本発明にかかる動物調教支援用具１につき、一つの実施の態様を挙げ説明したが、調節係着部材４は、次のように構成することもできる。
すなわち、調節係着部材４としては、口輪３を構成する帯状体を取り囲むように配置する帯片９と、この帯片９の内側面と帯状体表面に配した係着面材８とで構成することもできる（図４参照）。
【００２０】
このような動物調教支援用具１においても、口輪３をその動物に合わせて、帯片９を固定すべき位置において、口輪３を構成する帯状体を取り囲むように二つ折りすることで、帯片９の内側面と帯状体表面に配した係着面材８とが係着して、口輪３を構成する帯状体を動物の口周りに合わせて、脱落しないように保持することができる。
【図面の簡単な説明】
【００２１】
【図１】本発明にかかる動物調教支援用具の一つの実施の形態を示す、使用説明図である。
【図２】図１に示す動物調教支援用具の構成を示す、斜視図である。
【図３】図１に示す動物調教支援用具における調節係着部材の輪状帯片を押しつぶして口輪を固定した状態を示す、要部斜視説明図である。
【図４】本発明にかかる動物調教支援用具における調節係着部材の別例を示す、要部斜視図である。
【図５】本発明にかかる動物調教支援用具を動物に装着した状態を示す側面図である。
【符号の説明】
【００２２】
１                            動物調教支援用具
２                            首輪
３                            口輪
４                            調節係着部材
５                            調節連結具
６                            リング部材
７                            輪状帯片
８                            係着面材
９                            帯片
Ｌ                            引き綱
【図１】
2006158242.tif 000003
【図２】
2006158242.tif 000004
【図３】
2006158242.tif 000005
【図４】
2006158242.tif 000006
【図５】
2006158242.tif 000007